(57)【要約】【課題】スチームアイロンを用いて衣類のアイロン掛けを行なう際に、衣類の乾燥効果を上げることができ、これにより衣類に湿気が残らずに皺になり難く、しかも、アイロン台の内部に結露が生じることを防止し、且つ、アイロン掛けの作業時間を大幅に短縮することができるアイロン台を提供する。【解決手段】本考案に係るアイロン台１は、複数の細孔２Ａを有する天板２上に、通気性を有するクッション用マット部材３を載せ、この上に布カバー４を被せて周囲を固定して成るアイロン面Ｓを備え、天板２の下部に形成された空間部内に、天板２上のアイロン面Ｓを吸引するファン５方式のバキューム機構Ｐ・天板２上のアイロン面Ｓを吹き上げるファン５方式の吹き上げ機構Ｑを備えている。また、天板２とファン５との間に、発熱機構Ｒを備えている。【選択図】図１
0003102176.tif 000002
【実用新案登録請求の範囲】
【請求項１】
複数の細孔を有する天板上に、通気性を有するクッション用マット部材を載せ、この上に布カバーを被せて周囲を固定して成るアイロン面を備え、天板の下部に形成された空間部内に、天板上のアイロン面を吸引するファン方式のバキューム機構を備えたことを特徴とするアイロン台。
【請求項２】
複数の細孔を有する天板上に、通気性を有するクッション用マット部材を載せ、この上に布カバーを被せて周囲を固定して成るアイロン面を備え、天板の下部に形成された空間部内に、天板上のアイロン面を吹き上げるファン方式の吹き上げ機構を備えたことを特徴とするアイロン台。
【請求項３】
バキューム機構と吹き上げ機構は、ファンを逆回転させることにより互いに切替可能である請求項１または２に記載のアイロン台。
【請求項４】
天板とファンとの間に、発熱機構を備えている請求項１乃至３のいずれかに記載のアイロン台。
【請求項５】
アイロン面は、所定の位置にアイロン用のコンセントを備えている請求項１乃至４のいずれかに記載のアイロン台。
【請求項６】
アイロン面の下側に、折り畳み可能なスタンドを備えている請求項１乃至５のいずれかに記載のアイロン台。
【請求項７】
アイロン面の上に、可倒式のアイロン置き台を備えている請求項１乃至６のいずれかに記載のアイロン台。
【請求項８】
バキューム機構が作動しているとき、アイロン置き台の上にアイロンを乗せると、バキューム機構が停止する請求項７に記載のアイロン台。
【請求項９】
吹き上げ機構が作動しているとき、アイロン置き台の上にアイロンを乗せると、吹き上げ機構が停止する請求項７に記載のアイロン台。
【考案の詳細な説明】
【技術分野】
【０００１】
本考案は、例えば、一般の家庭用、或るいは、クリーニング店等の業務用等に使用されるスチームアイロン用のアイロン台に関するものである。
【背景技術】
【０００２】
従来より、スチームアイロンを用いて衣類のアイロン掛けをする際に使用するアイロン台として、種々の構造のものが提案されている。このアイロン台としては、例えば、天板上にクッション用マット部材を載せ、この上に布カバーを被せてから周囲をリベット等で固定しているものがある。
【特許文献１】特になし
【考案の開示】
【考案が解決しようとする課題】
【０００３】
しかしながら、このような従来のアイロン台では、天板自体に通気性が全く無いため、天板上のクッション用マット部材の内部に結露が生じて、自身の乾燥効果が非常に乏しいものとなっていた。その結果、スチームアイロンから吹き出す蒸気による湿気が衣類に残ってしまう欠点があり、衣類の乾燥に時間を要することとなり、しかも、衣類に皺が発生する原因となる等の問題点を有していた。
【０００４】
そこで、本考案は叙上のような従来存した諸事情に鑑み創案されたもので、スチームアイロンを用いて衣類のアイロン掛けを行なう際に、衣類の乾燥効果を上げることができ、これにより衣類に湿気が残らずに皺になり難く、しかも、アイロン台の内部に結露が生じることを防止し、且つ、アイロン掛けの作業時間を大幅に短縮することができるアイロン台を提供することを目的とする。
【課題を解決するための手段】
【０００５】
上述した目的を達成するため、本考案に係るアイロン台は、複数の細孔を有する天板上に、通気性を有するクッション用マット部材を載せ、この上に布カバーを被せて周囲を固定して成るアイロン面を備え、天板の下部に形成された空間部内に、天板上のアイロン面を吸引するファン方式のバキューム機構を備えたことで、上述した課題を解決した。
【０００６】
また、複数の細孔を有する天板上に、通気性を有するクッション用マット部材を載せ、この上に布カバーを被せて周囲を固定して成るアイロン面を備え、天板の下部に形成された空間部内に、天板上のアイロン面を吹き上げるファン方式の吹き上げ機構を備えたことで、同じく上述した課題を解決した。
【０００７】
さらに、バキューム機構と吹き上げ機構は、ファンを逆回転させることにより互いに切替可能であることで、同じく上述した課題を解決した。
【０００８】
また、天板とファンとの間に、発熱機構を備えていることで、同じく上述した課題を解決した。
【０００９】
加えて、アイロン面は、所定の位置にアイロン用のコンセントを備えていることで、同じく上述した課題を解決した。
【００１０】
また、アイロン面の下側に、折り畳み可能なスタンドを備えていることで、同じく上述した課題を解決した。
【００１１】
この他、アイロン面の上に、可倒式のアイロン置き台を備えていることで、同じく上述した課題を解決した。
【００１２】
また、バキューム機構が作動しているとき、アイロン置き台の上にアイロンを乗せると、バキューム機構が停止することで、同じく上述した課題を解決した。
【００１３】
さらに、吹き上げ機構が作動しているとき、アイロン置き台の上にアイロンを乗せると、吹き上げ機構が停止することで、同じく上述した課題を解決した。
【考案の効果】
【００１４】
本考案は、以上のように構成されているため、スチームアイロンＩを用いて衣類Ｃのアイロン掛けを行なう際に、衣類Ｃの乾燥効果を上げることができ、これにより衣類Ｃに湿気が残らずに皺になり難く、しかも、アイロン台１の内部に結露が生じることを防止し、且つ、アイロン掛けの作業時間を大幅に短縮することができる。
【００１５】
これは本考案が、複数の細孔２Ａを有する天板２上に、通気性を有するクッション用マット部材３を載せ、この上に布カバー４を被せて周囲を固定して成るアイロン面Ｓを備え、天板２の下部に形成された空間部内に、アイロン面Ｓを吸引するファン５方式のバキューム機構Ｐを備えたからであり、これにより、スチームアイロンＩを用いて衣類Ｃのアイロン掛けを行なう際に、衣類Ｃから熱気や蒸気等を完全に除去することができ、折り目や皺の発生を防止することができる。即ち、バキューム機構Ｐは、アイロン台１の下部の空間部内におけるファン５の、例えば、正回転により、アイロン面Ｓを吸引し、スチームアイロンＩが噴出する蒸気を衣類Ｃに完全に浸透させると共に、余分な蒸気をアイロン台１の外部へ排出する。そのため、例えば、ワイシャツ、Ｔシャツ、ポロシャツ等の衣類Ｃのアイロン掛けに好適である。
【００１６】
また、複数の細孔２Ａを有する天板２上に、通気性を有するクッション用マット部材３を載せ、この上に布カバー４を被せて周囲を固定して成るアイロン面Ｓを備え、天板２の下部に形成された空間部内に、アイロン面Ｓを吹き上げるファン５方式の吹き上げ機構Ｑを備えたので、スチームアイロンＩを用いて衣類Ｃのアイロン掛けを行なう際に、吹き上げ効果により衣類Ｃの下側からアイロンを掛けているのと同じ効果が得られ、プレスした跡を残したくない衣類Ｃやプレスした跡が残っては困る衣類Ｃに効果的である。そのため、例えば、ネクタイ、シルクシャツ、スカーフ、マフラー、レーヨン製品、セーター等のデリケートな素材の衣類Ｃのアイロン掛けに好適である。この他、吹き上げ機構Ｑは、アイロン面Ｓを吹き上げることで、アイロン面Ｓの上に空気のクッションを発生させる。そのため、アイロン面Ｓの上におけるスチームアイロンＩの滑りが、極めて良好なものとなる。
【００１７】
さらに、バキューム機構Ｐと吹き上げ機構Ｑは、ファン５を逆回転させることにより互いに切替可能であるので、その操作が極めて容易であり、例えば、ジャケットやスラックス等の衣類Ｃのアイロン掛けに好適である。
【００１８】
また、天板２とファン５との間に、発熱機構Ｒを備えているので、アイロン台１の天板２自体から熱を発生させるため、アイロン台１の下方からのアイロン効果を発揮することができ、しかも、アイロン台１の下部の空間部内における結露の発生を防止し、さらに、アイロン面Ｓの乾燥効果を向上させることができる。
【００１９】
そして、アイロン面Ｓは、所定の位置にアイロン用のコンセント６を備えているので、スチームアイロンＩのコードを長い状態にして使用することができ、スチームアイロンＩを、アイロン面Ｓの上において自在に移動させることができる。
【００２０】
また、アイロン面Ｓの下側に備えたスタンド１１により、アイロン面Ｓの高さを段階的に調節でき、スチームアイロンＩを用いた衣類Ｃのアイロン掛けの作業を、誰もが楽な姿勢で行なうことができる。
【００２１】
加えて、アイロン面Ｓの上に、可倒式のアイロン置き台１２を備えているため、アイロン掛けの作業中、このアイロン置き台１２にスチームアイロンＩを適宜置くことができる。このアイロン置き台１２は、スチームアイロンＩを置いた際の加重によりファン５の回転を停止し、作動中のバキューム機構Ｐを自動的に停止させることができる。また、スチームアイロンＩをアイロン置き台１２から持ち上げることによりファン５の回転を始動させ、停止中のバキューム機構Ｐを自動的に作動させることができる。同様に、このアイロン置き台１２は、スチームアイロンＩを置いた際の加重によりファン５の回転を停止し、作動中の吹き上げ機構Ｑを自動的に停止させることができる。また、スチームアイロンＩをアイロン置き台１２から持ち上げることによりファン５の回転を始動させ、停止中の吹き上げ機構Ｑを自動的に作動させることができる。
【００２２】
尚、アイロン置き台１２を使用しないときは、これを上方に立ち上げることで、アイロン面Ｓの全体を有効に活用して衣類Ｃのアイロン掛けを行なうことができる。
【考案を実施するための最良の形態】
【００２３】
以下に、図面を参照して本考案を実施するための最良の形態を説明する。本考案に係るアイロン台１は、面積が大きく、しかも、軽量に形成されて、主に、スチームアイロンＩを用いた衣類Ｃのアイロン掛けに使用するものである。具体的には、図１に示すように、耐久性に優れたアルミニウム材等の高熱伝導率材料から成る面積の大きな天板２上に、通気性を有するクッション用マット部材３を載せ、この上に布カバー４を被せ、その周囲をリベット等で固定して成るアイロン面Ｓを備えている。そして、天板２には、通気用の複数の細孔２Ａが穿設されている。また、天板２の下部には所定の空間部が形成され、この内部に、細孔２Ａを通じてアイロン面Ｓを吸引するファン５方式のバキューム機構Ｐを備えている。
【００２４】
ファン５方式のバキューム機構Ｐとしては、例えば、図１に示すように、天板２の下部における空間部の底板８に開口部８Ａを形成し、この開口部８Ａに、所定のプロペラを回転させるモータ付きのファン５が配置されている。このファン５が正回転することにより、天板２の細孔２Ａを通じてアイロン面Ｓが吸引されると共に、余分な湿気や蒸気が開口部８Ａから外部へ排出される。
【００２５】
また、図２に示すように、モータを逆駆動させてファン５を逆回転させることにより、細孔２Ａを通じてアイロン面Ｓを吹き上げるファン５方式の吹き上げ機構Ｑに切り替えられる。このファン５が逆回転することにより、空気が開口部８Ａから吸引されて、天板２の細孔２Ａを通じてアイロン面Ｓを吹き上げるのである。
【００２６】
さらに、図３に示すように、天板２とファン５との間には、発熱機構Ｒとして、例えば、電熱線等の発熱体を配置している。すなわち、天板２の裏面側に電熱線等を装着し、天板２自体から熱を発生させることで、アイロン面Ｓに載置した衣類Ｃについて下側からも自然にアイロン掛けを行なえるようにしている。換言すれば、アイロン台１のアイロン面Ｓ自体がスチームアイロンＩとしての効果を発揮するのである。しかも、これによって、アイロン台１の下部の空間部内に結露が生じることを防止し、アイロン面Ｓ自体の乾燥効果も十分に発揮できるようにしている。
【００２７】
また、図４（ａ）に示すように、アイロン面Ｓの一端部に設けられたスイッチ部１０には、メインスイッチ、バキューム機構Ｐのスイッチ１０ａ・吹き上げ機構Ｑのスイッチ１０ｂ等があり、さらに、スチームアイロンＩ用のコンセント６を備えている。
【００２８】
加えて、図４（ｂ）に示すように、アイロン台１にフック７を設けたときには、このフック７を利用してアイロン台１の吊り下げが可能である。
【００２９】
また、図４（ｃ）に示すように、小型の補助アイロン台９を使用したときには、アイロン掛けの作業が一層容易になる。尚、アイロン面Ｓの端部を細身に形成することにより、アイロン面Ｓの端部が補助アイロン台９としての機能を兼ねることができる。
【００３０】
この他、図５・図６に示すように、アイロン台１は、その下側に折り畳み可能なスタンド１１を備えている。このスタンド１１は、図６に示すように、脚部１１ａ・１１ｂが交差状に配され、例えば、スタンド１１の高さを低くするときは、脚部１１ｂの上端部がアイロン台１の前方にスライド移動するものである。
【００３１】
さらに、図５・図６に示すように、アイロン面Ｓの一端部には、可倒式のアイロン置き台１２を備えており、アイロン掛けの作業中、このアイロン置き台１２にスチームアイロンＩを適宜置くことができる。さらに、アイロン置き台１２は、マイクロスイッチを備えており、スチームアイロンＩを置いた際の加重によりファン５の回転を停止し、また、スチームアイロンＩをアイロン置き台１２から持ち上げることによりファン５の回転を始動させることができる。
【００３２】
次に、以上のように構成された本考案に係るアイロン台１について、使用の一例を説明する。まず、スチームアイロンＩを用いて衣類Ｃのアイロン掛けを行なう際に、バキューム機構Ｐを作動させるときには、メインスイッチを入れ、且つ、スイッチ１０ａによりアイロン台１の下部の空間部内のファン５を正回転させる。すると、図１に示すように、天板２の細孔２Ａを通じてアイロン面Ｓが吸引される。このとき、スチームアイロンＩから出た蒸気が衣類Ｃに完全に浸透すると共に、余分な蒸気が底板８の開口部８Ａを介してアイロン台１の外部へ排出される。
【００３３】
また、スチームアイロンＩを用いて衣類Ｃのアイロン掛けを行なう際に、吹き上げ機構Ｑを作動させるときには、スイッチ１０ｂによりアイロン台１の下部の空間部内のファン５を逆回転させる。すると、図２に示すように、天板２の細孔２Ａを通じてアイロン面Ｓが吹き上げられ、アイロン面Ｓの上に空気のクッションが発生する。このとき、スチームアイロンＩから出た蒸気による温風がアイロン面Ｓを吹き上げることで、衣類Ｃを完全に乾燥させるのである。
【００３４】
さらに、図３に示すように、スチームアイロンＩを用いてアイロン掛けを行なう際に、発熱機構Ｒを作動させるときには、発熱用スイッチを入れることで、発熱体の電熱線に電流が流れ、アイロン台１の天板２自体から熱が発生する。こうすることで、アイロン台１の下方からのアイロン効果、すなわち、アイロン面Ｓに載置された衣類Ｃを下側からアイロン掛けできるのである。しかも、アイロン台１の下部の空間部内に結露が生じることを防止し、さらに、アイロン面Ｓの乾燥効果も向上できる。
【００３５】
また、スチームアイロンＩを用いてアイロン掛けを行なう際に、図６に示すように、アイロン面Ｓのコンセント６に、スチームアイロンＩの差し込みプラグを差し込めば、コードを長い状態にしての使用が可能となり、スチームアイロンＩを、アイロン面Ｓの上において自在に移動できる。尚、アイロン台１を使用しないときには、スタンド１１を折り畳んで、アイロン台１を所定の場所にコンパクトに収容する。
【産業上の利用可能性】
【００３６】
本考案は、スチームアイロンＩを用いて衣類Ｃのアイロン掛けを行なう際に、衣類Ｃの乾燥効果を上げることができ、これにより衣類Ｃに湿気が残らずに皺になり難く、しかも、アイロン台１の内部に結露が生じることを防止し、且つ、アイロン掛けの作業時間を大幅に短縮することができるアイロン台１に関するものである。
【図面の簡単な説明】
【００３７】
【図１】アイロン台の側面図と、バキューム機構が作動している状態のアイロン台の内部構成を示した断面図である。
【図２】アイロン台の側面図と、吹き上げ機構が作動している状態のアイロン台の内部構成を示した断面図である。
【図３】アイロン台の側面図と、発熱機構が作動している状態のアイロン台の内部構成を示した断面図である。
【図４】アイロン台の付属構成を示したもので、（ａ）はスイッチ部とアイロン置き台周辺の構成を示した斜視図、（ｂ）はフックによりアイロン台を吊り下げている状態の斜視図、（ｃ）は補助アイロン台を使用している状態の斜視図である。
【図５】スタンドによりアイロン台を所定の高さに設置したアイロン台の使用状態を示した斜視図である。
【図６】アイロン台の使用状態において、スタンドを上下させる状態・アイロン置き台をアイロン面に接している位置から上方に立ち上げる状態を示した側面図である。
【符号の説明】
【００３８】
Ｃ…衣類                        Ｉ…スチームアイロン
Ｐ…バキューム機構              Ｑ…吹き上げ機構
Ｒ…発熱機構                    Ｓ…アイロン面
１…アイロン台                  ２…天板
２Ａ…細孔                        ３…クッション用マット部材
４…布カバー                    ５…ファン
６…コンセント                  ７…フック
８…底板                      ８Ａ…開口部
９…補助アイロン台            １０…スイッチ部
１０ａ…スイッチ                １０ｂ…スイッチ
１１…スタンド                １１ａ…脚部
１１ｂ…脚部                      １２…アイロン置き台
【図１】
0003102176.tif 000003
【図２】
0003102176.tif 000004
【図３】
0003102176.tif 000005
【図４】
0003102176.tif 000006
【図５】
0003102176.tif 000007
【図６】
0003102176.tif 000008